(57)【特許請求の範囲】
【請求項１】
前面側にフランジを有する筐体をパネルの前面からパネルカットに挿入し、パネルの後面側から筐体を固定するものにおいて、
後面側に突出部と凹部を有し該突出部の底板又は天板の両側近傍に、前後方向に長いガイド穴及びその後部に該ガイド穴より幅の広い挿入穴を連続して設けると共に、前記凹部にねじ穴が設けられた筐体と、
ねじ挿通穴を有する端板及び該端板の両側から同方向にほぼ直角に折曲げられた長片と短片を備え、該短片の上下の少なくとも一方を長片側に折曲げて係止片が形成された取付金具とを有し、
該取付金具の係止片を前記筐体の挿入穴に挿入し、端板と係止片とにより筐体の突出部の底板又は天板を挾持して前進させ、前記取付金具の端板に設けたねじ穴に取付ねじを挿通して該取付ねじを前記筐体に設けたねじ穴に螺入し、前記筐体のフランジと取付金具とによりパネルを挾持して固定することを特徴とする筐体の取付装置。
【請求項２】
取付金具の短片の上下に係止片を設けたことを特徴とする請求項１記載の筐体の取付装置。
【請求項３】
筐体に設けたガイド穴の幅を取付金具の板厚とほぼ等しいか又は僅かに大きく形成すると共に、取付金具の端板と係止片との間隙を前記ガイド穴が設けられた底板又は天板の板厚とほぼ等しいか又は僅かに大きく形成したことを特徴とする請求項１又は２記載の筐体の取付装置。
【発明の詳細な説明】
【０００１】
【産業上の利用分野】
本発明は、制御機器、カウンタ、計器等の筐体をパネルに装着するための取付装置に関するものである。
【０００２】
【従来の技術】
例えば、増幅器や電気部品等が収容された制御機器の筐体をパネルに装着する場合は、通常、パネルに筐体の寸法に整合した穴（以下パネルカットという）を形成すると共に、筐体の前面にフランジを設け、パネルの前面からパネルカットに筐体を装入してフランジをパネルの前面に当接させ、パネルの後面から取付装置により筐体をパネルに固定している。
【０００３】
このような筐体の取付装置は、今迄数多く提案され実用に供されており、その一例を図５に示す。この取付装置は、合成樹脂からなる筐体１の両側壁３１ａ，３１ｂに案内溝３２ａ，３２ｂを設けると共に、筐体１の後面側にこれに連続してナット３４が埋設された凹部３３ａ，３３ｂを設けたものである。そして、この案内溝３２ａ，３２ｂに先端部が外側に折曲げられ、後端部が内側に折曲げられてねじ挿通穴が設けられた取付金具３５ａ，３５ｂを挿入し、取付金具３５ａ，３５ｂのねじ挿通穴に挿通したねじ３６ａ，３６ｂを筐体１の凹部３３ａ，３３ｂに設けたナット３４に螺入して筐体１をパネル２０に取付けるようにしたものである。
【０００４】
【発明が解決しようとする課題】
上記のような筐体の取付装置においては、筐体１に設けた案内溝３２ａ，３２ｂ及び凹部３３ａ，３３ｂがその分だけ筐体１内に張出すため筐体１の内容積が小さくなって有効に利用できず、内部に収容するプリント基板の面積等が制約されるなどの問題があった。
【０００５】
本発明は上記の課題を解決すべくなされたもので、筐体の内容積が縮小されることなく、取付金具の位置決めが容易でかつがたつきを生ぜずその上構造及び着脱が簡単でコストを低減できる筐体の取付装置を得ることを目的としたものである。
【０００６】
【課題を解決するための手段】
（１）本発明に係る筐体の取付装置は、後面側に突出部と凹部を有し突出部の底板又は天板の両側近傍に、前後方向に長いガイド穴及びその後部にガイド穴より幅の広い挿入穴を連続して設けると共に、前記凹部の縦壁の両側近傍にねじ穴が設けられた筐体と、ねじ挿通穴を有する端板及び端板の両側から同方向にほぼ直角に折曲げられた長片と短片を備え、短片の上下の少なくとも一方を長片側に折曲げて係止片が形成された取付金具とを有し、取付金具の係止片を筐体の挿入穴に挿入し、端板と係止片とにより筐体の突出部の底板又は天板を挾持して前進させ、取付金具の端板に設けたねじ穴に取付ねじを挿通して該取付ねじを筐体に設けたねじ穴に螺入し、前記筐体のフランジと取付金具とによりパネルを挾持して固定するようにしたものである。
【０００７】
（２）上記（１）の係止片を取付金具の短片の上下に設けたものである。
（３）上記（１）又は（２）の筐体に設けたガイド穴の幅を取付金具の板厚とほぼ等しいか又は僅かに大きく形成すると共に、取付金具の端板と係止片との間隙をガイド穴が設けられた底板又は天板の板厚とほぼ等しいか又は僅かに大きく形成したものである。
【０００８】
【作用】
（１）パネルの前面側からパネルカットに筐体を挿入し、フランジをパネルの前面に当接させる。そして、突出部に設けた挿入穴に取付金具の係止片を挿入し、係止片と端板とにより突出部の底板（又は天板）を挾持させる。この状態で取付金具をガイド穴に沿って前進させ、端板のねじ挿通穴に挿通した取付ねじを筐体の凹部に設けたねじ穴に螺入する。取付ねじの頭部が端板に圧接されると、フランジと取付金具との間にパネルが挾持され、筐体はパネルに固定される。
【０００９】
（２）また、係止片を取付金具の短片の上下に設けたので、１種類の取付金具を左右何れにも使用することができる。
（３）さらに筐体に設けたガイド穴の幅を取付金具の板厚とほぼ等しいか又は僅かに大きく形成すると共に、取付金具の端板と係止片との間隙をガイド穴が設けられた底板又は天板の板厚とほぼ等しいか又は僅かに大きく形成したことにより、取付金具を上下左右に動くことなく直進させることができる。
【００１０】
【実施例】
図１は本発明実施例の分解斜視図、図２はその要部の説明図である。両図において、１は筐体で、本実施例においては、前面が開口し後部の上部が突出した（以下この部分を突出部４ａといい、その下部を凹部４ｂという）側面ほぼ逆Ｌ字状のケース本体２と、ケース本体２の開口部の周縁に設けたフランジ部３とからなっている。
そして、ケース本体２の突出部４ａの底板５の両側近傍には、図２に示すように、前後方向に長いガイド穴６ａ，６ｂが設けられており、その後部にはこれより幅の広い挿入穴７ａ，７ｂが連続して設けられている。また、ケース本体２の凹部４ｂの縦壁の上部両側近傍にはねじ穴２２（一方の側だけ示してある）が設けられている。
【００１１】
１１ａ，１１ｂは取付金具で、端板１２ａ，１２ｂの両側は同方向にほぼ直角に折曲げられて長片１３ａ，１３ｂと短片１４ａ，１４ｂが形成されており、短片１４ａ，１４ｂの上下には端板１２ａ，１２ｂの上下端部と間隙ｇ（図２参照）を隔てて長片１３ａ，１３ｂ側に折曲げられ、係止片１５ａ，１５ｂ、１６ａ，１６ｂが形成されている。１７ａ，１７ｂは端板１２ａ，１２ｂに設けたねじ挿通穴、１８ａ，１８ｂは取付ねじである。
【００１２】
上記のような筐体１及び取付金具１１ａ，１１ｂにおいて、筐体１の突出部４の底板５に設けたガイド穴６ａ，６ｂの幅Ｗは取付金具１１ａ，１１ｂの板厚ｔ1 とほぼ等しいか又は僅かに大きく形成されており、挿入穴７は取付金具１１ａ，１１ｂの係止片１５ａ，１５ｂが挿入しうる大きさに形成されている。
また、取付金具１１ａ，１１ｂの端板１２ａ，１２ｂの上下端部と係止片１５ａ，１５ｂ間の間隙ｇは、筐体１の突出部４ａの底板５の板厚ｔ2 とほぼ等しいか又は僅かに大きく形成されている。
なお、取付金具１１ａ，１１ｂは全く同じ構造のものであり、上下を逆にすることにより左右何れにも使用することができる。
【００１３】
上記のような取付金具１１ａ，１１ｂを用いて筐体１をパネルに取付けるには、図４に示すように、パネル２０に設けたパネルカット２１に、前面側から筐体１のケース本体２を挿入し、フランジ部３をパネル２０の前面に当接させる。
ついで、取付金具１１ａの一方の係止片１５ａを、筐体１の突出部４ａの底板５に設けた挿入穴７ａに挿入し、突出部４ａの底板５を端板１２ａの上端部と係止片１５ａとで挾持した状態で取付金具１１ａを前進させ、図３に示すようにガイド穴６ａ内に位置させる。
【００１４】
この状態で、筐体１の側壁に沿って取付金具１１ａ，１１ｂをその先端部がパネル２０の背面に当るまで前進させ、取付金具１１ａ，１１ｂのねじ挿入穴１７ａ，１７ｂに取付ねじ１８ａ，１８ｂを挿通し、筐体１の凹部４ｂに設けたねじ穴２２に螺入する。そして取付ねじ１８ａ，１８ｂの頭部が取付金具１１ａ，１１ｂの端板１２ａ，１２ｂに当るまで締付けると、取付金具１１ａ，１１ｂと筐体１のフランジ３とによりパネル２０を挾持し、筐体１はパネル２０に強固に取付けられる。このときの状態を図４に示す。
【００１５】
本実施例においては、前述のように、ガイド穴６ａ，６ｂの幅Ｗを取付金具１１ａ，１１ｂの板厚ｔ1 とほぼ等しいか又は僅かに大きく形成し、また、端板１２ａ，１２ｂと係止片１５ａ，１５ｂとの間隙ｇをケース本体２の突出部４の底板５の板厚ｔ2 とほぼ等しいか又は僅かに大きく形成したので、取付ねじ１５ａ，１５ｂを螺入する際に、取付金具１１ａ，１１ｂの左右方向や上下方向の動きを規制することができ、取付金具１１ａ，１１ｂを直進させることができる。
【００１６】
また、取付金具１１ａ，１１ｂをガイド穴６ａ，６ｂに挿入すれば、取付金具１１ａ，１１ｂはその位置に保持されるので、取付ねじ１８ａ，１８ｂをねじ穴２２に螺入する際の取付金具１１ａ，１１ｂの保持手段や位置決め手段を特別に設ける必要がない。
さらに、取付金具１１ａ，１１ｂの係止片１５ａ，１５ｂ、１６ａ，１６ｂを端板１２ａ，１２ｂの上下に設けたので、１種類の取付金具を左右の取付金具１１ａ，１１ｂとして用いることができる。
【００１７】
上記の説明では、筐体１の後面上部に突出部４ａを設けた場合を示したが、内部に収容するプリント基板や電気部品によっては突出部を後面下部あるいは後面中央部近傍に設けることもある。
筐体１の後面下部に突出部４ａを設けた場合はその天板にガイド穴６ａ，６ｂ及び挿入穴７ａ，７ｂを設ければよく、筐体１の後面中央部近傍に突出部４を設けた場合は、その底板又は天板にガイド穴６ａ，６ｂ及び挿入穴７ａ，７ｂを設ければよい。
【００１８】
また、取付金具１１ａ，１１ｂの後端部のみを折曲げて端板１２ａ，１２ｂを形成した場合を示したが、長片１３ａ，１３ｂの先端部を端板１２ａ，１２ｂと反対方向に折曲げて当接片を設けてもよい。これにより、パネル２０に対する接触面積を増加し、より確実に筐体１をパネル２０に装着することができる。
さらに、取付金具１１ａ，１１ｂの端板１２ａ，１２ｂの上下に係止片１５ａ，１５ｂを設けた場合を示したが、端板１２ａ，１２ｂの上側のみに係止片を設けてもよい。しかし、この場合は、左右２種類の取付金具を用意する必要がある。
また、ケース本体２の板厚ｔ2 が薄い場合は、突出部４ａの底板５から凹部４ｂの背面にかけてＬ字状の当板を取付け、この当板と底板５の両者にガイド穴６ａ，６ｂと挿入穴７ａ，７ｂを設けてもよい。
【００１９】
【発明の効果】
（１）本発明に係る筐体の取付装置は、後面側に突出部と凹部を有し突出部の底板又は天板の両側近傍に、前後方向に長いガイド穴及びその後部にガイド穴より幅の広い挿入穴を連続して設けると共に凹部の縦壁の両側近傍にねじ穴が設けられた筐体と、ねじ挿通穴を有する端板及び端板の両側から同方向にほぼ直角に折曲げられた長片と短片を備え、短片の上下の少なくとも一方を長片側に折曲げて係止片が形成された取付金具とを有し、取付金具の係止片を筐体の挿入穴に挿入し、端板と係止片とにより筐体の突出部の底板又は天板を挾持して前進させ、取付金具の端板に設けたねじ穴に取付ねじを挿通してこの取付ねじを筐体に設けたねじ穴に螺入し、筐体のフランジと取付金具とによりパネルを挾持して固定するようにしたので、筐体に溝等を設ける必要がないため筐体内への突出部がなく、内部を有効に利用でき、その上取付金具の位置決め、取付、固定も簡単なので、取付時間を短縮できる。
【００２０】
（２）また、上記（１）の取付金具の短片の上下に係止片を設けたことにより、１種類の取付金具を左右何れにも使用することができる。このため、取付金具のプレス加工のための金型が安価になり、コストを低減できるばかりでなく、在庫管理、工程管理もきわめて容易である。
【００２１】
（３）さらに、上記（１）又は（２）の筐体に設けたガイド穴の幅を取付金具の板厚とほぼ等しいか又は僅かに大きく形成すると共に、取付金具の端板と係止片との間隙をガイド穴が設けられた底板又は天板の板厚とほぼ等しいか又は僅かに大きく形成したので、取付金具を筐体の側壁に沿って前進させる際に、取付金具が上下あるいは左右に動くことができ、直進させることができ、このため、筐体を正しい位置に確実に取付けることができる。
【図面の簡単な説明】
【図１】本発明実施例の分解斜視図である。
【図２】図１の要部の斜視図である。
【図３】本発明実施例の作用説明図である。
【図４】本発明実施例により筐体をパネルの取付けた状態を示す説明図である。
【図５】従来の筐体の取付装置の一例の斜視図である。
【符号の説明】
１  筐体
２  ケース本体
３  フランジ
４ａ  突出部
４ｂ  凹部
５  突出部の底板
６ａ，６ｂ  ガイド穴
７ａ，７ｂ  挿入穴
１１ａ，１１ｂ  取付金具
１２ａ，１２ｂ  端板
１３ａ，１３ｂ  長片
１４ａ，１４ｂ  短片
１５ａ，１５ｂ，１６ａ，１６ｂ  係止片
１７ａ，１７ｂ  ねじ挿通穴
１８ａ，１８ｂ  取付ねじ
２０  パネル
２１  パネルカット
２２  ねじ穴
【図１】
0003677635.tif 000002
【図２】
0003677635.tif 000003
【図３】
0003677635.tif 000004
【図４】
0003677635.tif 000005
【図５】
0003677635.tif 000006